(57)【要約】【課題】走行中の道路に適した交通情報を通知することができる受信装置を提供すること。【解決手段】電波ビーコンを受信する信号処理部１４の復号処理を電波ビーコンと光ビーコンのいずれで行うかを現在位置情報および電波ビーコン受信条件から判断する処理判断部１５を備え、処理判断部１５は、現在地情報が電波ビーコン受信条件と一致する場合に信号処理部１４で電波ビーコンからの復号を行う判断をし、現在位置情報が電波ビーコン受信条件と一致しない場合に信号処理部１４で光ビーコンからの復号を行う判断をする。【選択図】  図１
2004221749.tif 000002
【特許請求の範囲】
【請求項１】
電波ビーコン信号を受信する電波ビーコン受信手段と、
光ビーコン信号を受信する光ビーコン受信手段と、
受信した前記光ビーコン信号または前記光ビーコン信号を復号する復号処理手段と、
現在位置を検出して現在位置情報を出力する現在位置情報検出手段と、
電波ビーコンを受信する電波ビーコン受信条件を記憶した記憶手段と、
電波ビーコンを受信する前記復号処理手段の復号処理を電波ビーコンと光ビーコンのいずれで行うかを前記現在位置情報および前記電波ビーコン受信条件から判断する復号判断処理部とを備え、
前記復号判断処理部は、前記現在位置情報が前記電波ビーコン受信条件と一致する場合に前記復号処理手段で前記電波ビーコンからの復号を行う判断をし、前記現在位置情報が前記電波ビーコン受信条件と一致しない場合に前記復号処理手段で前記光ビーコンからの復号を行う判断をすることを特徴とする受信装置。
【請求項２】
前記電波ビーコン受信条件が、すくなくとも道路種別であることを特徴とする請求項１に記載の受信装置。
【請求項３】
前記電波ビーコンの電波ビーコン位置を取得する電波ビーコン位置受信手段を備え、
前記電波ビーコン位置を電波ビーコンを受信する電波ビーコン受信条件として前記記憶手段に記憶することを特徴とする請求項１または２記載の受信装置。
【発明の詳細な説明】
【０００１】
【発明の属する技術分野】
本発明は、光ビーコン及び電波ビーコンから送信される信号を受信する受信装置に関する。
【０００２】
【従来の技術】
ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）のデータは、一般道路では光ビーコンより送信され、高速道路では電波ビーコンより送信される。
【０００３】
図２に示すように、従来のＶＩＣＳ受信装置は、電波ビーコンアンテナ１、光ビーコンアンテナ２、ビーコン受信部３、信号処理部４、カーナビゲーションシステム本体部６を備えている。
【０００４】
電波ビーコンの信号は、電波ビーコンアンテナ１で受信し、光ビーコンの信号は、光ビーコンアンテナ２で受信し、ビーコン受信部３でベースバンド信号に戻し、その信号を信号処理部４で復号するとともに、カーナビゲーションシステム本体部６へ伝送し、カーナビゲーションシステム本体部６で、受け取った信号を文字や画像に変換し、ディスプレイに表示するというものであった。
【０００５】
【特許文献１】
特開平９−９３１６９号公報
【０００６】
【発明が解決しようとする課題】
しかし、このような従来のＶＩＣＳ受信機では、高速道路高架下の一般道路において、高速道路から漏洩する電波ビーコン信号を受信してしまい、走行していない高速道路の交通情報を利用者へ通知するという問題があった。
【０００７】
本発明はこのような問題を解決するためになされたもので、走行中の道路に適合した交通情報を通知することができる受信装置を提供するものである。
【０００８】
【課題を解決するための手段】
本発明の受信装置は、電波ビーコン信号を受信する電波ビーコン受信手段と、光ビーコン信号を受信する光ビーコン受信手段と、受信した前記光ビーコン信号または前記光ビーコン信号を復号する復号処理手段と、現在位置を検出して現在位置情報を出力する現在位置情報検出手段と、電波ビーコンを受信する電波ビーコン受信条件を記憶した記憶手段と、電波ビーコンを受信する前記復号処理手段の復号処理を電波ビーコンと光ビーコンのいずれで行うかを前記現在位置情報および前記電波ビーコン受信条件から判断する復号判断処理部とを備えた構成とした。
【０００９】
したがって、現在位置が電波ビーコン受信条件に一致する場合に電波ビーコンの復号を行い、現在位置が電波ビーコン受信条件に一致しない場合に光ビーコンの復号を行うことができるので、電波ビーコンの受信電界強度が強くても走行中の道路の交通情報ではない場合に電波ビーコンを受信せずに、光ビーコンからのみ受信することができる。
【００１０】
また、本発明の受信装置は、前記電波ビーコン受信条件が、すくなくとも道路種別である構成とした。
【００１１】
したがって、高速道路を走行中においては高速道路の交通情報を電波ビーコンで受信し、高速道路付近の一般道路を走行中には、走行中でない高速道路の交通情報を通知させないことができる。
【００１２】
また本発明の受信装置は、電波ビーコン位置を取得する電波ビーコン位置受信手段を備え、前記電波ビーコン位置を電波ビーコンを受信する電波ビーコン受信条件として前記記憶手段に記憶する構成とした。
【００１３】
したがって、例えば高速道路以外で電波ビーコンが用いられている場合に、予め電波ビーコンを受信する受信位置あるいは受信範囲として通信などで取得して記憶するため、現在位置が他の電波ビーコン受信条件と一致せずとも、その記録された受信位置あるいは受信範囲と一致することで電波ビーコンを受信することができる。
【００１４】
【発明の実施の形態】
以下、本発明の実施の形態について、図面を用いて説明する。
【００１５】
本発明の実施の形態のＶＩＣＳ受信装置を図１に示す。
【００１６】
図１に示すように、本発明の実施の形態のＶＩＣＳ受信装置は、電波ビーコンアンテナ１１、光ビーコンアンテナ１２、ビーコン受信部１３、信号処理部１４、処理判断部１５、ナビゲーション装置１６、電波ビーコン受信電界強度検知部１７、デジタル放送受信アンテナ１８、デジタル放送受信機１９を備えている。
【００１７】
電波ビーコンアンテナ１１は、たとえば電波ビーコンから送信される２．５ＧＨｚ帯の電波信号を受信し、光ビーコンアンテナ１２は、光ビーコンから送信される赤外光を受信する。ビーコン受信部１３は、電波ビーコンアンテナ１１、光ビーコンアンテナ１２で受信した電波ビーコン信号及び光ビーコン信号をベースバンド信号に変換する。信号処理部１４は、電波ビーコン信号及び光ビーコン信号のベースバンド信号を復号して、ＶＩＣＳデータを生成し、ナビゲーション装置１６に入力する。
【００１８】
電波ビーコン受信電界強度検知部１７は、受信した電波ビーコン信号の電界強度を検知し、信号処理部１４に伝送する。ナビゲーション装置１６は、ＧＰＳ、ジャイロで検出した位置情報と地図データからマップマッチング機能などを利用して現在位置情報を検出し、信号処理部１４に送信する。
【００１９】
ここで電波ビーコンは見通し外にも到来するので、受信可能な範囲が広く、高速走行中でも受信が容易であり、また光ビーコンは見通し外にはほとんど到来しないので受信可能な範囲が狭く、限定された範囲に通知するのに適する。
【００２０】
したがって一般に高速道路では電波ビーコンが、一般道路では光ビーコンが用いられている。しかし一部の地域（範囲）では、一般道路においても広範囲の通知などを目的として電波ビーコンが用いられている場合もあり、この一般道路でも電波ビーコンを用いる範囲は予めナビゲーション装置１６の地図データなどに記憶されている。
【００２１】
また、この電波ビーコンを用いる範囲は、デジタル放送受信アンテナ１８で受信したデジタル放送をデジタル放送受信機１９で復号して得ることもでき、このときデジタル放送受信機１９で復号して得られる電波ビーコンを用いる範囲は、デジタル放送受信機１９またはナビゲーション装置１６の記憶部に記憶される。
そしてナビゲーション装置１６では、記憶された電波ビーコンを用いる範囲と走行中の現在位置が一致する場合に、特殊位置判別情報として信号処理部１４に送信する。
【００２２】
信号処理部１４に送信された、現在位置情報、特殊位置判別情報及び電波ビーコン受信電界強度情報はそのまま処理判断部１５に送られ、処理判断部１５は、位置情報と地図データから得られている現在位置情報から一般道路を走行中であると判定された場合に、電波ビーコン受信電界強度情報を用いて、電界強度の値が所定範囲値内である場合は電波ビーコン信号のデコード処理を実行することを示す処理判断信号を信号処理部１４に送り、電界強度の値が所定範囲値以下である場合は、電波ビーコン信号のデコード処理を行わないとの処理判断信号を信号処理部１４に送信する。
【００２３】
なお、処理判断部１５に送られた、現在位置情報が現在走行中の道路が高速道路であるとの情報である場合は、電波ビーコン信号のデコード処理を行うとの処理判断信号を信号処理部１４に送信する。
【００２４】
また、処理判断部１５に、特殊位置判別情報が送られて、電波ビーコンを用いる範囲である場合は、電波ビーコン信号のデコード処理を行うとの処理判断信号を信号処理部１４に送信する。
【００２５】
信号処理部１４は、処理判断部１５から送られてくる信号に基き、電波ビーコン信号の処理を行う。そして、電波ビーコン信号のデコード処理を行わないとの処理判断信号が送られると、光ビーコン信号によるデコード処理のみを行うように動作する。
【００２６】
以上のように本発明の実施の形態によれば、カーナビゲーションシステムのマップマッチング機能を利用して現在走行中の道路が一般道路であるか高速道路であるかを判別し、加えて電波ビーコン信号の電界強度及び現在走行中の道路が電波ビーコン信号発信装置が設置された特殊な道路であるとの情報を参酌することにより、受信した電波ビーコン信号が処理すべき信号であるか否かを判断できるので、高速道路高架下の一般道路において高速道路から漏洩し、受信してしまったような不要な電波ビーコン信号を処理することなく、適切な交通情報のみを伝えることができ、また、電波ビーコン信号発信機が設置された特殊な一般道路においても、電波ビーコン信号の処理を行うか否かの適切な判断をすることができる。
【００２７】
そして、電波ビーコン信号発信装置が設置されていない道路を走行中は光ビーコン信号の受信を優先させることができるのでより確実に光ビーコン信号を受信することができ、より快適に自動車を運転することを支援できる。
【００２８】
なお、受信した電波ビーコン受信電界強度情報を信号処理部１４ではなくナビゲーション装置１６に送り、電波ビーコン信号を処理すべきか否かの判断をナビゲーション装置１６で行っても良い。
【００２９】
また、電波ビーコン受信電界強度検知部１７を省略して、ナビゲーション装置１６及びデジタル放送受信機１９のみを用いて現在位置を特定し電波ビーコン信号を処理すべきか否かの判断を行っても良い。これにより、より小型かつ安価なＶＩＣＳ受信装置を実現することができる。
【００３０】
【発明の効果】
以上説明したように、本発明は、高速道路高架下の一般道路において、走行中の道路が高速道路であるか一般道路であるかをカーナビゲーションシステムのマップマッチング機能を用いて判別し、一般道路である場合に、加えて電波ビーコン信号の電界強度を参酌し、電界強度が所定範囲値内のものであれば電波ビーコン信号のデコード処理を行い、電界強度が所定範囲値以下である場合は、受信した電波ビーコン信号は本来受信すべきでない信号であるとして電波ビーコン信号のデコード処理を行わないことにより、一般道路において高速道路から漏洩し、受信してしまった不要な電波ビーコン信号を処理することなく、走行中の道路に適合した交通情報のみを伝えることができるというすぐれた効果を有する受信装置を提供することができるものである。
【図面の簡単な説明】
【図１】本発明の実施の形態のＶＩＣＳ受信装置を示すブロック図
【図２】従来のＶＩＣＳ受信装置を示すブロック図
【符号の説明】
１１  電波ビーコンアンテナ
１２  光ビーコンアンテナ
１３  ビーコン受信部
１４  信号処理部
１５  処理判断部
１６  ナビゲーション装置
１７  電波ビーコン受信電界強度検知部
１８  デジタル放送受信アンテナ
１９  デジタル放送受信機
【図１】
2004221749.tif 000003
【図２】
2004221749.tif 000004